(57)【要約】  本発明は特に、掃除機フィルタアセンブリ（１８）であって、サイクロン式粉塵分離ユニット（１２）に接続されるようになされた少なくとも１つの集塵室（１５）と、集塵室（１５）に取り付けられ、そこから延びるフィルタニット（１７）と、を含む掃除機フィルタアセンブリ（１８）に関する。
2015507980.tif 000002
【特許請求の範囲】
【請求項１】
掃除機フィルタアセンブリ（１８）であって、サイクロン式粉塵分離ユニット（１２）に連結されるようになされた少なくとも１つの集塵室（１５）と、前記集塵室（１５）に取り付けられ、そこから延びるフィルタユニット（１７）と、を含む掃除機フィルタアセンブリ（１８）。
【請求項２】
鏡面対称の配列で相互に横方向に離間された２つの同型の集塵室（１５）を含み、前記フィルタユニット（１７）が相互に対向する前記集塵室（１５）の側面（１９）間に取り付けられ、そこに延びる、請求項１に記載の掃除機フィルタアセンブリ（１８）。
【請求項３】
前記サイクロン式粉塵分離ユニット（１２）の粉塵出口開口部（１６）に連結されるようになされた粉塵入口開口部（２２）が、前記少なくとも１つの集塵室（１５）の、前記側面（１９）に対して垂直な正面（２３）に設けられている、請求項１または２に記載の掃除機フィルタアセンブリ（１８）。
【請求項４】
前記正面（２３）が前記少なくとも１つの集塵室（１５）の基部領域に対して傾斜されている、請求項３に記載の掃除機フィルタアセンブリ（１８）。
【請求項５】
前記正面（２３）の傾斜角度が１０〜５０度の範囲内、好ましくは約３０度である、請求項４に記載の掃除機フィルタアセンブリ（１８）。
【請求項６】
前記集塵室（１５）の前記基部領域に平行な平面内の断面積が下（３）から上（４）の方向において縮小し、ほとんどすべての断面が好ましくは長方形である、請求項１〜５のいずれか１項に記載の掃除機フィルタアセンブリ（１８）。
【請求項７】
前記フィルタユニット（１７）のフィルタパネル（２１）が、掃除機フィルタアセンブリ（１８）の底領域に対して傾斜している、請求項１〜６のいずれか１項に記載の掃除機フィルタアセンブリ（１８）。
【請求項８】
前記少なくとも１つの集塵室（１５）の底面開口部（２５）を閉じ、密閉するようになされた蓋（２４）を含む、請求項１〜７のいずれか１項に記載の掃除機フィルタアセンブリ（１８）。
【請求項９】
前記蓋（２４）が、移動可能に、特に旋回可能に、前記掃除機フィルタアセンブリ（１８）の底面に取り付けられ、そこに設置されている、請求項８に記載の掃除機フィルタアセンブリ（１８）。
【請求項１０】
前記少なくとも１つの集塵室（１５）と、前記フィルタユニット（１７）の少なくとも支持フレーム（２０）が一体部品として実施される、請求項１〜９のいずれか１項に記載の掃除機フィルタアセンブリ（１８）。
【請求項１１】
第一段階のサイクロン粉塵分離器（８）と、これに続く第二段階のサイクロン粉塵分離器（１２）と、を含む掃除機（１）であって、前記第二段階のサイクロン粉塵分離器（１２）の粉塵出口（１６）が、請求項１〜１０のいずれか１項に記載の掃除機フィルタアセンブリ（１８）の粉塵入口（２２）に接続される掃除機（１）。
【請求項１２】
前記掃除機フィルタアセンブリ（１８）を掃除機本体（２）内に取り外し可能に保持する保持固定具を含み、前記掃除機フィルタアセンブリ（１８）に前記掃除機本体（２）の底面（２）からアクセス可能である、請求項１１に記載の掃除機（１）。
【発明の詳細な説明】
【技術分野】
【０００１】
本発明は、掃除機、特にサイクロン式掃除機と、掃除機フィルタアセンブリに関する。
【背景技術】
【０００２】
サイクロン式掃除機は、袋不使用の集塵の利点によって広く知られている。袋不使用、またはサイクロン式掃除機、またはそれぞれのサイクロン粉塵分離ユニットは、例えば欧州特許出願第１  ０４２  ９８１  Ａ１号明細書、同第１７７４８８７  Ａ１号明細書、同第１  ６８８  ０７８  Ａ２号明細書、同第１  ９５２  ７４５  Ａ２号明細書、国際出願第２０１１／０５８３６５号パンフレットから知られている。
【発明の概要】
【発明が解決しようとする課題】
【０００３】
特に上述の最先端技術文献に記載されているサイクロン式掃除機は、依然として比較的複雑な集塵ユニットを有し、これには集塵室と集塵フィルタの複雑なクリーニングおよびゴミ捨てが必要になることが多い。
【０００４】
したがって、本発明の目的の１つは、最先端技術に見られる目的を解決することである。特に、比較的コンパクトな設計であり、使いやすく、操作性の高いサイクロン式掃除機と掃除機フィルタアセンブリを提供する。
【課題を解決するための手段】
【０００５】
上記およびその他の目的は、特許請求項１および１１の特徴により解決される。実施形態と変形形態は、それぞれの従属項から得られる。
【０００６】
請求項１によれば、掃除機フィルタアセンブリが提供され、これは、少なくとも１つの集塵室、特に集塵コンパートメントを含む。少なくとも１つの集塵室は特に、サイクロン式粉塵分離ステップで分離された粉塵を収容するようになされている。少なくとも１つの集塵室はしたがって、サイクロン式粉塵分離ユニット、特にサイクロン粉塵分離ユニットの粉塵排出面に連結されるようになされている。
【０００７】
掃除機フィルタアセンブリはフィルタユニットをさらに含み、これはフラットフィルタユニットまたはフラットフィルタパネル、特に細密フィルタユニットまたは細密フィルタパネルであっても、これを含んでいてもよい。特に、このようなフィルタユニットは、１つまたは複数の上側のフィルタユニット、特にサイクロン式フィルタユニットの下流に設置されるのに適している。特に、提案のフィルタユニットは、掃除機の最終フィルタ段階としてもよい。
【０００８】
本発明によれば、フィルタユニットが少なくとも１つの集塵室に取り付けられ、そこから延びるようにすることが提案される。このようにして、操作の簡素化と省スペース型の設計を得ることができる。特に、フィルタユニットは少なくとも１つの集塵室の側面に取り付けられ、そこから延びてもよい。
【０００９】
ある実施形態によれば、掃除機フィルタアセンブリは、同型の２つの集塵室を含む。同型とは、集塵室がほとんど、基本的に同じ設計と幾何学的寸法を有することを意味する。
【００１０】
２つの集塵室は好ましくは、鏡面対称の配列で相互に横方向に離間されて配置される。これは特に、集塵室が相互に横方向にずれていることを意味する。好ましくは、集塵室は平行な配列に向けられ、好ましくは平行に、中央の対称面に対して対称に配列される。提案の実施形態によれば、フィルタユニットは集塵室の対向する側面の間に取り付けられ、そこに延びる。換言すれば、フィルタユニットは２つの集塵室間、特に集塵室の、相互に対向する２つの側面間に配置され、すなわち挟まれる。フィルタユニットを２つの集塵室間に配置し、挟まれるようにすることによって、機械的安定性が向上し、コンパクトな設計の選択肢を得ることができる。
【００１１】
掃除機フィルタアセンブリの他の実施形態によれば、粉塵入口開口部が少なくとも１つの集塵室に設けられる。粉塵入口開口部は、関係するサイクロン式粉塵分離ユニットの集塵出口開口部と連結されるようになされている。粉塵入口開口部は好ましくは、少なくとも１つの集塵室の正面に設置される。正面とは、集塵室の、側面に対して垂直な向きの面を指すものとする。正面に粉塵入口開口部を設ける特殊な配置は、フィルタユニットが側方正面に配置され、そこから延びており、コンパクトな設計と使いやすさの点で好ましい。
【００１２】
掃除機フィルタアセンブリの変形形態において、粉塵入口開口部を有する正面を少なくとも１つの集塵室の基部領域に対して傾斜させることが提案される。複数の集塵室が設けられている場合、それぞれの正面が相応に傾斜されてもよい。基部領域は特に側面に対して垂直な底面を指す点に留意されたい。
【００１３】
一般に、集塵室、特にその内側空間は平行六面体、特に直方体、特に立方体の基本構造を有していてもよい。粉塵入口開口部を設けることのできる傾斜した正面に関連して、集塵室の、その正面に対して平行な断面は基本的に三角形である。傾斜した正面以外の集塵室の部分または内部空間は立方体、特に平行六面体の形状であってもよい。
【００１４】
傾斜した正面は、サイクロン式粉塵分離ユニットの集塵出口開口部に連結されるようになされた粉塵入口開口部を提供するために有利であり得る。特に、このような構成は、掃除機フィルタアセンブリとサイクロン式粉塵分離ユニットのサイクロンを特に直線運動で容易に連結するのに好都合である。例えば、掃除機フィルタアセンブリとサイクロン式粉塵分離ユニットの、対応する傾斜面は、掃除機フィルタアセンブリを直線運動で、例えば掃除機の底面内に、またはそこに設けられたそれぞれのスロットの中に押し込むことによって連結されてもよい。
【００１５】
掃除機フィルタアセンブリの、粉塵入口開口部が設けられた正面の傾斜角度は１０〜５０度の範囲内であり、有利には約３０度であることが好ましい。
【００１６】
他の変形形態において、集塵室の少なくとも主要部分について、集塵室の、基部領域に平行な平面の断面積は、下から上に向かう方向に減少する。好ましくは、ほとんどすべての断面は長方形である。このような構成は、掃除機フィルタアセンブリの省スペース型の設計とレイアウトにとって有利でありうる。
【００１７】
掃除機フィルタアセンブリの他の実施形態において、フィルタユニットのフィルタパネルまたはフィルタ要素は、掃除機フィルタアセンブリの底領域に対して傾斜している。好ましくは、フィルタパネルは、集塵室の傾斜面と整列して、特に基本的にそれに対して平行である。フィルタパネルのこのような配置は、省スペース型の設計とフィルタ効率にとって有利でありうる。
【００１８】
また別の実施形態において、掃除機フィルタアセンブリは、少なくとも１つの集塵室の底面開口部を閉じ、密閉するようになされた蓋を含む。この蓋は明らかに、集塵室のゴミ捨てを目的として設けられてもよい。開口部と蓋を集塵室の底面部位に設け、または配置することは、多くの粉塵をまき散らしたり、使用者を粉塵に曝したりせずに集塵室のゴミ捨てが行われるようにするのに有利でありうる。
【００１９】
好ましい変形形態によれば、蓋は掃除機フィルタアセンブリの底面に移動可能に、すなわち開放するように移動可能に、すなわち開放可能に取り付けられ、設置される。特に、蓋は旋回可能に取り付けられてもよい。蓋の旋回軸は、掃除機フィルタアセンブリの長手方向の縁辺、特に底縁に、それに沿って、および／またはそれに対して平行に配置されてもよい。もう一方の、反対の、または離れている長手方向の縁辺に、または他の縁辺または位置にも、集塵室をきつく閉鎖するようになされたロック装置および／またはラチェット、特にスナップコネクタが設けられてもよい。
【００２０】
好ましい実施形態において、少なくとも１つの集塵室と少なくともフィルタユニットの支持フレームが一体部品として実施される。この場合、掃除機フィルタアセンブリは繋がっていない部品を持たない単独の構成部品として提供されてもよく、それによって掃除機フィルタアセンブリの使いやすさが大幅に改善される。一体部品に関しては射出成形等の製造工程が考えられ、これは、特に掃除機フィルタアセンブリ、少なくとも主要部分、特に荷重支持部分、すなわちフレームをプラスチック材料から作製してもよいからである。
【００２１】
請求項１１によれば、掃除機が提供され、これは第一段階のサイクロン粉塵分離器と、これに続く第二段階のサイクロン粉塵分離器と、を含む。第二段階のサイクロン粉塵分離器の粉塵出口は、上述および後述の実施形態と変形形態のいずれかによる掃除機フィルタアセンブリの粉塵入口に接続される。利点及び有利な効果に関しては、上記の説明を参照する。
【００２２】
掃除機の特に好ましい実施形態において、掃除機本体内の掃除機フィルタアセンブリを取り外し可能に保持するための保持固定具が設けられてもよい。保持固定具および／または掃除機フィルタアセンブリには、掃除機本体の底面からアクセスできる。掃除機フィルタアセンブリを掃除機本体内に適正に収容するために、掃除機フィルタユニットを押し込み、引き出すことが可能な窪みまたはスロットが設けられてもよい。窪みまたはスロットを閉じ、および／または掃除機フィルタアセンブリをその中にロックするカバーが設けられてもよい。カバーは、面に穴のない平坦な形状であっても、格子状の構造を含んでいてもよい。
【００２３】
掃除機の底面内に、またはそこに動作的機能、例えば掃除機フィルタアセンブリを組み込む概念は、コンパクトな設計、および／または掃除機の動作の簡素化にも貢献しうる。したがって、掃除機フィルタアセンブリが、掃除機、特に掃除機本体の底面から、および／またはそこでアクセス可能で、取り扱い可能であることが有利であることがわかった。機能的要素、特にフラップまたは蓋と、フィルタ交換用のそれぞれの開口部を掃除機の底面に設けることは、これまでの最先端技術においては考案されていないことに留意されたい。したがって、機能性と設計、特に省スペース型の設計における新しい選択肢が得られる。
【００２４】
ここで、本発明の実施形態を以下のような添付の図面に関連して説明する。
【図面の簡単な説明】
【００２５】
【図１】掃除機の斜視図を示す。
【図２】掃除機の、一部切断側面図を示す。
【図３】掃除機の縦方向断面図を示す。
【図４】掃除機フィルタアセンブリの第一の斜視図を示す。
【図５】掃除機フィルタアセンブリの第二の斜視図を示す。
【図６】掃除機フィルタアセンブリの第三の斜視図を示す。
【発明を実施するための形態】
【００２６】
図１は、掃除機１の斜視図を示す。掃除機は水平型の掃除機本体２を含み、これは底面３と、上面４と、前面５と、後面６と、側面７と、を有する。
【００２７】
水平型という用語は、通常の、所期の使用位置において、掃除機本体２が基本的に水平に位置付けられることを意味する。このタイプはまた、シリンダ型またはキャニスタ型掃除機とも呼ばれる。本発明との関連において、および、より一般的な用語において、これは特に、掃除機本体２が通常の動作中に、前面５から後面６の方向に対して、その下の地面に対して基本的に平行に位置付けられることを意味するものとする。図中、掃除機はその通常の水平の使用位置で示されていることに留意されたい。
【００２８】
本願の意味における水平型の掃除機１は、例えば欧州特許出願第１  ７７４  ８８７  Ａ１号に示されている。水平型の掃除機のほかに、垂直型の構成も存在し、これは一般に、掃除機本体がそこに取り付けられ、それを使って掃除機本体を掃除機での掃除の動作に合わせて移動させるハンドルを含む。このタイプはまた、直立型掃除機とも呼ばれる。このような垂直型の掃除機の一例は、国際出願第２０１１／０５８３６５号に示されている。
【００２９】
掃除機１は、第一段階サイクロン粉塵分離器８を含む。第一段階のサイクロン粉塵分離器８は、第一段階の集塵室９に連結される。第一段階のサイクロン粉塵分離器８の粉塵出口開口部１０（図３）は、第一段階の集塵室９に流体接続されている。
【００３０】
第一段階の集塵室９は、集塵容器としても設計されていてよく、掃除機本体２の前面５に位置付けられ、配置されている。
【００３１】
掃除機１は、それぞれ掃除機本体２の側面７と底面３に、またはその中か上に配置された車輪１１を含む。車輪１１は、正常および通常の動作中に掃除機１が容易にその下の面上で移動できるように配置され、なされている。
【００３２】
掃除機１は、ハンドル等の他の機能的要素を含んでいてもよく、それについてはこれ以上詳しく説明しない。特に、掃除機１の前面５において、柔軟な吸引ホース（図示せず）を接続するようになされ、構成された接合部が設けられている。
【００３３】
掃除機１は、２つの第二段階のサイクロン粉塵分離ユニット１２をさらに含む。第二段階のサイクロン粉塵分離ユニット１２は、前面５に横方向に位置付けられ、取り付けられる。図１から特にわかるように、第一段階の集塵室９と第二段階のサイクロン粉塵分離ユニット１２は側面７間に取り付けられ、第一段階の集塵室９は第二段階のサイクロン粉塵分離ユニット１２間の中央に置かれる。
【００３４】
第一段階の集塵室９と第二段階のサイクロン粉塵分離ユニット１２の提案の構成によって、コンパクトで省スペース型の設計が可能となる。さらに、掃除機１の構成部品の良好な操作性と組み合わされた機能的配置を得ることができる。
【００３５】
掃除機のさらに詳しい部分は図２〜６に関連して明らかとなるであろう。掃除機１の一部切断側面図を示す図２からより詳しくわかるように、第二段階のサイクロン粉塵分離ユニット１２の各々はいくつかの円錐サイクロン１３を含む。円錐サイクロン１３は等しい大きさ、すなわち寸法を有し、それぞれの側面７に対して平行に横並びに配置される。
【００３６】
第二段階のサイクロン粉塵分離ユニット１２は、第一段階のサイクロン粉塵分離ユニット８に、掃除機本体２の上面４に延びる通気路１４によって接続される。第一段階のサイクロン粉塵分離器８の空気出口は、後面６に向かって配置され、側面７に対して中央に置かれる。通気路１４は、湾曲部分で中央の後面位置からそれぞれの側面７に向かって案内され、その後、掃除機本体２の側面７に沿って第二段階のサイクロン粉塵分離ユニット１２へと案内される。
【００３７】
図２をさらに参照すると、円錐サイクロン１３が、その中心軸が好ましくは１０〜５０度の角度αだけ右上から左下に向かって傾くように取り付けられ、配列されており、これは円錐サイクロンのうちの１について点線の矢印（ｖ２）によって示されている。傾斜角度は、前後方向に対して平行なベクトルｖ１とそれぞれの円錐サイクロン１３の、右上から左下の方向に延びる中心軸に対して平行なベクトルｖ２の間に画定されると理解するものとする。
【００３８】
中心軸に対して垂直方向に、円錐サイクロン１３は１列に位置付けられ、軸方向にずれていない。これは特に、第二段階のサイクロン粉塵分離ユニット１２の円錐サイクロンの空気入口と空気出口がそれぞれ、共通平面内にあり、第二段階のサイクロン粉塵分離ユニット１２の粉塵出口面を画定することを意味する。
【００３９】
さらに図２を参照すると、各第二段階サイクロン粉塵分離ユニット１２は第二段階の集塵室１５を含み、これはそれぞれの円錐サイクロン１３の粉塵出口開口部１６の下流にあり、それに流体接続されている。図２では、第二段階の集塵室１５のうちの１つだけが見えている。
【００４０】
それぞれの第二段階の集塵室１５の、円錐サイクロン１３の粉塵出口開口部１６に面する正面において、第二段階の集塵室１５はそれに対応する粉塵入口開口部２２を有する。粉塵入口開口部２２と粉塵出口開口部１６は、第二段階の集塵室１５とそれぞれの円錐サイクロン１３の間がきつく、特に液密状態で接続されるようになされている。
【００４１】
図２から、前後方向に対して、各第二段階の集塵室１５がそれぞれの第二段階のサイクロン１３の後方に位置付けられ、取り付けられていることがさらにわかる。図１から、前後方向に対して、第二段階の集塵室１５がそれぞれの第二段階サイクロン１３とそれぞれのサイクロンユニットと平らに配置されることがわかる。
【００４２】
前述の配置は、コンパクトな全体的設計を得るのに有利である。これに加えて、提案の配置により、掃除機１の構成要素の、および掃除機１全体の好ましい使いやすさと取り扱いが可能となる。
【００４３】
図３に関して、掃除機は別のフィルタユニット１７を含み、これは例えば第三段階の粉塵分離器であってもよい。より多くの粉塵分離段階を提供してもよい点に留意されたい。この場合のフィルタユニット１７は、掃除機１の細密フィルタ、特に主フィルタを含み、またはこれを構成してもよい。
【００４４】
フィルタユニット１７は、前後方向に対しては、第一段階の集塵室９の背後に、上下方向に対しては、第一段階のサイクロン粉塵分離器８の下に取り付けられる。図２と組み合わせると、フィルタユニット１７が第二段階の集塵室１５間の中央に置かれることが明らかとなる。これによって、最適な空間利用とコンパクトな設計を得ることができる。
【００４５】
この場合の第二段階の集塵室１５とフィルタユニット１７は、図４〜６により詳しく示される一体型の掃除機フィルタアセンブリ１８の一部であり、これを構成する。
【００４６】
フィルタユニット１７は、第二の集塵室１５間に配置される。より詳しくは、フィルタユニットは第二の集塵室の内側面１９から、それらの間に延びる。フィルタユニット１７は、キャリアフレーム２０と、キャリアフレーム２０に取り付けられたフィルタ要素２１を含んでいてもよい。図４〜６からわかるように、フィルタユニット１７、特にキャリアフレーム２０と第二段階の集塵室１５、特に第二段階の集塵室１５の外郭または外壁、特に内側壁は一体構成で実施される。
【００４７】
フィルタユニット１７は全体として、基本的に長方形の基部領域を有し、これは図６から最もよくわかる。第二段階の集塵室１５はそれぞれ、長方形の基部領域と、一般に直方体のタイプの本体または内側空間を有する。
【００４８】
図３〜６を通じて、第二段階の集塵室１５は三角形の構造を有し、その中で、底面に平行な断面は下から上の方向に縮小する。第二段階の集塵室１５の直方体の構造によって、断面は下から上の方向にほとんどすべて長方形である。
【００４９】
第二段階の集塵室の三角形の形状は、第二段階のサイクロン粉塵分離ユニット１２の円錐サイクロン１３の粉塵出口開口部１６を含む粉塵出口面が傾斜しているという事実による。ここで、粉塵出口開口部１６と連結されることになる粉塵入口開口部２２は、集塵室１５の正面２３に設けられる。集塵室１５の正面２３は、第二段階のサイクロン粉塵分離ユニット１２の粉塵出口面の傾斜角度に従って傾斜される。特筆すべき点として、正面２３はそれぞれの第二段階の集塵室１５の基部領域に対して傾斜される。
【００５０】
上述の傾斜角度および傾斜した面と正面は、省スペース型の設計、有効なサイクロン式集塵、第二段階の集塵室の容易なゴミ捨て、掃除機フィルタアセンブリ１８からの粉塵の容易な排出および／または洗い落としにとって有利である点に留意されたい。
【００５１】
円錐サイクロンの傾斜角度に従って、正面２３の傾斜角度は好ましくは１０〜５０度の範囲内であり、好ましくは約３０度である。
【００５２】
図４と５から最もよくわかるように、フィルタユニット１７は、掃除機フィルタアセンブリ１８の底領域に対して傾斜されている。フィルタユニット１７は基本的に、第二段階の集塵室１５の傾斜した正面２３に対して基本的に平行に延びる。
【００５３】
特に図５を参照すると、掃除機フィルタアセンブリ１８は底面に蓋２４を含む。蓋２４は、それぞれの第二段階の集塵室１５の底面開口部２５を閉じ、密閉するようになされ、実施される。
【００５４】
第二段階の集塵室１５をきつく閉じるために、シール材を集塵室開口部２５と蓋２４の間に設置してもよい。さらに、第二段階の集塵室１５をきつく、しっかり閉じるために、蓋２４を閉じた位置に保持するための固定具を設けてもよい。
【００５５】
本発明の場合、蓋２４は、長手方向の側縁に沿って掃除機フィルタアセンブリ１８の正面にヒンジ式に接続されている。もう一方の長手方向の側縁において、蓋２４はスナップ要素２６を含み、これはキャリアフレーム２０に設けられた相手側スナップ要素２７と相互作用し、これとスナップ式に接続されるようになされている。スナップ要素２６と相手側スナップ要素２７を通じて、第二段階の集塵室１５はきつく閉じることができるが、ゴミ捨ては容易にできる。
【００５６】
前述のように、強調すべき点として、第二段階の集塵室１５とフィルタユニット１７、少なくともキャリアフレーム２０は、一体部品として実施され、これは例えば射出成形で製造してもよい。
【００５７】
ここで、図２と３に戻ると、掃除機フィルタアセンブリ１８は、掃除機本体２内の、ある種の保持固定具の中に収容される。さらに、掃除機フィルタアセンブリ１８は掃除機本体内に、これに底面３からアクセスできるように収容され、それによって、これを掃除機本体２の底面３から、掃除機本体、特に保持固定具にセットし、そこから取り外すことができる。
【００５８】
掃除機フィルタアセンブリ１８を掃除機本体２の中にしっかりと保持するために、カバー要素２８、例えばフラップまたは蓋を掃除機本体の底面３に設置してもよい。カバー要素２８は、底面３にヒンジ式に取り付けられてもよく、例えば、保持固定具または、掃除機フィルタアセンブリ１８を受けるように意図された開口部をきつく閉じる爪・スナップ式コネクタ（ｃｌｉｃｋ  ａｎｄ  ｓｎａｐ  ｃｏｎｎｅｃｔｉｏｎ）を含んでいてもよい。カバー要素２８の開放位置は、図２において破線で示されている。
【００５９】
わかるように、掃除機フィルタアセンブリ１８は、保持固定具または掃除機本体２から容易に取り外し、そこに再び取り付けることができる。この場合の掃除機フィルタアセンブリ１８は、取り付ける場合には縦方向、すなわち下から上の方向に、掃除機フィルタアセンブリ１８を掃除機本体２から取り外す場合には上から下に移動させることができ、これは図２において両方向矢印で示される。
【００６０】
掃除機フィルタアセンブリ１８を取り外すのに、難しい、複雑な動作を必要としない。特に、掃除機フィルタアセンブリ１８は掃除機１から、それほど多くの粉塵をまき散らすことなく取り外すことができる。掃除機フィルタアセンブリ１８から粉塵をクリーニングし、取り除くために、掃除機フィルタアセンブリ１８の全体を水洗いすることができる。これは、使用者が接触する粉塵や粉塵微粒子の量が減るという利点を有する。
【００６１】
全体として、提案の掃除機は、コンパクトな設計、向上された使いやすさ、満足できる掃除効率を提供することがわかる。
【符号の説明】
【００６２】
１    掃除機
２    掃除機本体
３    底面
４    上面
５    前面
６    後面
７    側面
８    第一段階のサイクロン粉塵分離器
９    第一段階の集塵室
１０    粉塵出口開口部
１１    車輪
１２    第二段階のサイクロン粉塵分離ユニット
１３    円錐サイクロン
１４    通気路
１５    第二段階の集塵室
１６    粉塵出口開口部
１７    フィルタユニット
１８    掃除機フィルタアセンブリ
１９    内側面
２０    キャリアフレーム
２１    フィルタ要素
２２    粉塵入口開口部
２３    正面
２４    蓋
２５    底面開口部
２６    スナップ要素
２７    相手側スナップ要素
２８    カバー要素
α    傾斜角度
ｖ１、ｖ２    ベクトル
【図１】
2015507980.tif 000003
【図２】
2015507980.tif 000004
【図３】
2015507980.tif 000005
【図４】
2015507980.tif 000006
【図５】
2015507980.tif 000007
【図６】
2015507980.tif 000008
【国際調査報告】
2015507980.tif 000009
2015507980.tif 000010